(57)【要約】【課題】主面に凹部が設けられた調理器用トッププレート用ガラス板であって、良好な触覚性を有する調理器用トッププレート用ガラス板を提供する。【解決手段】調理器用トッププレート用ガラス板１は、凹部１１ｃ、１１ｄを有する主面１１を備える。凹部１１ｃ、１１ｄの表面粗さが、主面１１の凹部１１ｃ、１１ｄ以外の部分の表面粗さよりも大きい。【選択図】図２
2014037921.tif 000002
【特許請求の範囲】
【請求項１】
凹部を有する主面を備え、
前記凹部の表面粗さが、前記主面の前記凹部以外の部分の表面粗さよりも大きい、調理器用トッププレート用ガラス板。
【請求項２】
前記凹部の表面粗さが、算術平均粗さ（Ｒａ）で０．５μｍよりも大きい、請求項１に記載の調理器用トッププレート用ガラス板。
【請求項３】
前記凹部の表面粗さが、算術平均粗さ（Ｒａ）で３μｍ以下である、請求項１または２に記載の調理器用トッププレート用ガラス板。
【請求項４】
前記凹部は、タッチパネルのタッチ面を構成する面である、請求項１〜３のいずれか一項に記載の調理器用トッププレート用ガラス板。
【発明の詳細な説明】
【技術分野】
【０００１】
本発明は、調理器用トッププレート用ガラス板に関する。
【背景技術】
【０００２】
従来、例えば特許文献１に記載のようなガラス板を用いた調理器用トッププレートが知られている。ガラス板を用いた調理器用トッププレートは、清掃が容易であることから、例えば、ＩＨ（Ｉｎｄｕｃｔｉｏｎ  Ｈｅａｔｉｎｇ）調理器等に広く用いられるようになってきている。
【先行技術文献】
【特許文献】
【０００３】
【特許文献１】特開２００５−９７１０８号公報
【発明の概要】
【発明が解決しようとする課題】
【０００４】
ところで、調理器の利便性を改善するため、調理器にタッチパネルを設けることが考えられる。この場合、調理器用トッププレート用ガラス板の表面をタッチ面とすることが考えられる。また、操作者が触覚により位置を検知できるように、タッチ面が設けられた部分を凹部とすることが考えられる。
【０００５】
また、例えば、ユニバーサルデザインの形状による注意喚起表示のための凹部を調理器用トッププレート用ガラス板に設けることも考えられる。
【０００６】
このような調理器の使用者が触れる凹部には、触れた際の感触がよいことが求められる。
【０００７】
本発明の主な目的は、主面に凹部が設けられた調理器用トッププレート用ガラス板であって、良好な触覚性を有する調理器用トッププレート用ガラス板を提供することにある。
【課題を解決するための手段】
【０００８】
本発明に係る調理器用トッププレート用ガラス板は、凹部を有する主面を備える。凹部の表面粗さが、主面の凹部以外の部分の表面粗さよりも大きい。
【０００９】
凹部の表面粗さが、算術平均粗さ（Ｒａ）で０．５μｍよりも大きいことが好ましい。
【００１０】
凹部の表面粗さが、算術平均粗さ（Ｒａ）で３μｍ以下であることが好ましい。
【００１１】
凹部は、タッチパネルのタッチ面を構成する面であってもよい。
【発明の効果】
【００１２】
本発明によれば、主面に凹部が設けられた調理器用トッププレート用ガラス板であって、良好な触覚性を有する調理器用トッププレート用ガラス板を提供することができる。
【図面の簡単な説明】
【００１３】
【図１】本発明の一実施形態に係る調理器用トッププレート用ガラス板の略図的平面図である。
【図２】図１の線ＩＩ−ＩＩ部分の略図的断面図である。
【図３】実験例において実施した実験を説明するための模式的側面図である。
【発明を実施するための形態】
【００１４】
以下、本発明を実施した好ましい形態の一例について説明する。但し、下記の実施形態は、単なる例示である。本発明は、下記の実施形態に何ら限定されない。
【００１５】
実施形態において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１６】
図１は、本実施形態に係る調理器用トッププレート用ガラス板の略図的平面図である。図２は、図１の線ＩＩ−ＩＩ部分の略図的断面図である。図１及び図２に示されるように、調理器用トッププレート用ガラス板１は、第１及び第２の主面１１，１２を有する。第１の主面１１は、調理器が載置される載置面（調理面）を構成している。第２の主面１２は、裏面を構成している。
【００１７】
調理器用トッププレート用ガラス板１を構成しているガラスの種類は、特に限定されないが、結晶化ガラスであることが好ましい。結晶化ガラスにより調理器用トッププレート用ガラス板１を構成することにより、優れた耐熱性と優れた強度とを実現することができる。
【００１８】
より具体的には、調理器用トッププレート用ガラス板１は、主結晶として、β−石英固溶体やβ−スポジュメン固溶体を析出してなるＬｉ２Ｏ−Ａｌ２Ｏ３−ＳｉＯ２系結晶化ガラスであることが好ましい。
【００１９】
調理器用トッププレート用ガラス板１の厚みは、特に限定されないが、例えば、３．０ｍｍ〜８．０ｍｍ程度とすることができる。
【００２０】
調理器用トッププレート用ガラス板１の第１及び第２の主面１１，１２のそれぞれの上には、装飾膜や装飾膜を保護するための保護膜などが形成されていてもよい。
【００２１】
図１に示されるように、第１の主面１１には、調理器が載置される第１及び第２の載置部１１ａ、１１ｂが設けられている。また、第１の主面１１には、複数のリング状の凹部１１ｃと、複数の円形状の凹部１１ｄとが設けられている。これら凹部１１ｃ、１１ｄの表面は、調理器用トッププレート用ガラス板１が調理器に組み込まれた際に、タッチパネルのタッチ面を構成する面である。
【００２２】
凹部１１ｃ、１１ｄの横断面形状は、特に限定されない。凹部１１ｃ、１１ｄの横断面形状は、例えばドーム状であってもよい。
【００２３】
凹部１１ｃ、１１ｄの深さは、特に限定されない。凹部１１ｃ、１１ｄの深さは、例えば、０．１ｍｍ〜２．０ｍｍ程度とすることができる。
【００２４】
上述の通り、凹部１１ｃ、１１ｄは、調理器の使用者が、指で触れることにより調理器を操作するためのタッチ面を構成している。操作内容によっては、使用者が、凹部１１ｃ、１１ｄを指でなぞることもある。このような操作を行う場合には、指が凹部１１ｃ、１１ｄの表面上を円滑に滑ることが好ましい。ここで、調理器用トッププレート用ガラス板１では、凹部１１ｃ、１１ｄの表面粗さが、主面１１のその他の部分の表面粗さよりも大きくされている。このため、指が凹部１１ｃ、１１ｄの表面上を円滑に滑りやすい。従って、良好な触覚性を実現することができる。
【００２５】
より良好な触覚性を実現する観点からは、凹部１１ｃ、１１ｄの表面粗さが、ＪＩＳ  Ｂ０６０１−２００１で規定される算術平均粗さ（Ｒａ）で、０．５μｍよりも大きいことが好ましく、０．７μｍ以上であることがより好ましく、１μｍ以上であることがさらに好ましい。
【００２６】
但し、凹部１１ｃ、１１ｄの表面粗さが大きすぎると耐衝撃性が低くなり、チッピング等が発生しやすくなる場合がある。従って、凹部１１ｃ、１１ｄの表面粗さが、ＪＩＳ  Ｂ０６０１−２００１で規定される算術平均粗さ（Ｒａ）で、３μｍ以下であることが好ましく、２μｍ以下であることがより好ましい。
【００２７】
なお、本実施形態では、凹部がタッチパネルのタッチ面を構成するための面である例について説明した。但し、本発明において、凹部がタッチ面である必要は必ずしもない。凹部は、例えば、ユニバーサルデザインの形状による注意喚起表示のための凹部であってもよい。
【００２８】
（実験例）
図３に示されるように、表１に示される表面粗さ（Ｒａ）を有する主面２１を備えるガラス板２０の主面２１の上に、表面粗さ（Ｒａ）が０．１μｍ、２５ｍｍ×２５ｍｍ×９ｍｍで５ｇの直方体状のゴム材３０を載置した。その状態で、ガラス板２０を傾斜させていき、ゴム材３０が主面２１をすべり始めた角度θを求めた。結果を表１に示す。
【００２９】
【表１】
2014037921.tif 000003
【００３０】
表１に示す結果から、主面２１の表面粗さ（Ｒａ）を大きくすることにより、主面２１の滑りやすさが向上することが分かる。また、主面２１の滑りやすさをさらに向上させる観点からは、主面２１の表面粗さ（Ｒａ）が０．５μｍ以上であることが好ましく、０．７μｍ以上であることが好ましく、１μｍ以上であることがより好ましいことが分かる。
【符号の説明】
【００３１】
１…調理器用トッププレート用ガラス板
１１…第１の主面
１１ａ、１１ｂ…載置部
１１ｃ、１１ｄ…凹部
１２…第２の主面
【図１】
2014037921.tif 000004
【図２】
2014037921.tif 000005
【図３】
2014037921.tif 000006